(57)【要約】【課題】  既設のスナバロール用のアームを利用して、テンションリールに巻き取られているコイルとストリップの境界付近で、簡単な構成でコイル外周の巻きズレを修正する。【解決手段】  テンションリールに近接した支柱にスナバアームが揺動自在に設けられ、該アームにブラケットを介してスナバロールが回転自在に支持される。スナバロールの上側で前記スナバアームの先端に第１取付部材がスナバアームの長さ方向に対し、ほぼ直立状態で固定され、該第１取付部材に対し、第２取付部材がほぼ直角に延びた状態で固定され、該第２取付部材の先端に第３取付部材が揺動自在に取付けられる。前記第２取付部材と第３取付部材との間で上側には揺動シリンダーが接続され、前記第３取付部材の下面にはストリップの幅方向に往復作動するガイドシリンダーがストリップの一端面側および他端面側に取付けられ、前記ガイドシリンダーの先端に各々ガイドロールが取付けられる。【選択図】        図１
2011161489.tif 000002
【特許請求の範囲】
【請求項１】
水平回転軸線を持つテンションリールに巻き取られているコイルとストリップの境界付近において、巻きズレを修正するものであって、
前記テンションリールに近接した支柱にスナバアームが揺動自在に設けられ、該アームにブラケットを介してスナバロールが回転自在に支持され、該スナバロールの上側で前記スナバアームの先端に第１取付部材がスナバアームの長さ方向に対し、ほぼ直立状態で固定され、該第１取付部材に対し、第２取付部材がほぼ直角に延びた状態で固定され、該第２取付部材の先端に第３取付部材が揺動自在に取付けられ、前記第２取付部材と第３取付部材との間で上側には揺動シリンダーが接続され、前記第３取付部材の下面にはストリップの幅方向に往復作動するガイドシリンダーがストリップの一端面側および他端面側に取付けられ、前記ガイドシリンダーの先端に各々ガイドロールが取付けられたテンションリールの外周巻きズレ修正装置。
【請求項２】
前記第３取付部材の下面には、前記ガイドシリンダーよりも、ストリップ進行方向の下流側にストリップの上面に接触転動する位置決めロールが設けられた請求項１記載のテンションリールの外周巻きズレ修正装置。
【発明の詳細な説明】
【技術分野】
【０００１】
本発明は、テンションリールの外周巻きズレ修正装置に関するものである。
【背景技術】
【０００２】
従来のこの種の装置として次のようなものがあった（特許文献１）。即ち、この装置は、ストリップの尾端部側縁を検出する尾端部位置検出装置を巻取用リールの近傍に配設することにより、ストリップ尾端部が全部巻き取られるまで側縁の検出が行われる。また、ストリップ尾端部を通板ガイド装置に沿って巻取用リールに誘導するときに、ピンチロールでストリップ尾端部を挟持すると共に、ピンチロールの軸方向各端部への押圧力シリンダーで可変することにより、ストリップ尾端部に巻取り張力が付与されると共に、蛇行の修正が行われる。
【先行技術文献】
【特許文献】
【０００３】
【特許文献１】特開平８−１５５５４２号公報
【発明の概要】
【発明が解決しようとする課題】
【０００４】
しかしながら、このような先行技術では、ストリップがテンションリールに至るまでの相当長い範囲に対して大掛かりな設備が必要である。本発明は上記課題を解決し、既設のスナバロール用のアームを利用して、テンションリールに巻き取られているコイルとストリップの境界付近において、簡単な構成でコイル外周の巻きズレを修正できる装置を提供することを目的とする。
【課題を解決するための手段】
【０００５】
本発明の課題解決手段は、水平回転軸線を持つテンションリールに巻き取られているコイルとストリップの境界付近において、巻きズレを修正するものである。前記テンションリールに近接した支柱にスナバアームが揺動自在に設けられ、該アームにブラケットを介してスナバロールが回転自在に支持され、該スナバロールの上側で前記スナバアームの先端に第１取付部材がスナバアームの長さ方向に対し、ほぼ直立状態で固定され、該第１取付部材に対し、第２取付部材がほぼ直角に延びた状態で固定され、該第２取付部材の先端に第３取付部材が揺動自在に取付けられる。
【０００６】
そして、前記第２取付部材と第３取付部材との間で上側には揺動シリンダーが接続され、前記第３取付部材の下面にはストリップの幅方向に往復作動するガイドシリンダーがストリップの一端面側および他端面側に取付けられ、前記ガイドシリンダーの先端に各々ガイドロールが取付けられている。
【０００７】
また、次の態様を含む。前記第３取付部材の下面には、前記ガイドシリンダーよりも、ストリップ進行方向の下流側にストリップの上面に接触転動する位置決めロールが設けられている。
【発明の効果】
【０００８】
本発明により、既設のスナバロール用のアームを利用して、テンションリールに巻き取られているコイルとストリップの境界付近において、簡単な構成でコイル外周の巻きズレを修正できることとなった。
【０００９】
本発明の装置では、巻取り張力がなくなる場合でも、確実にテンションリールでの巻きズレを防止できる。テンションリールのスナバアームにガイドロールを設置した構造であるため、テンションリールが巻取り制御を行っている場合でも、確実にストリップの案内ができる。スナバアームを動かしてパスライン外（ストリップとコイルの上方を避けた位置）にガイドロール移動できるので、その場合は押し込み疵やボタ落ちの低減に有利である。
【図面の簡単な説明】
【００１０】
【図１】本発明の一実施例の正面図である。
【図２】本発明の一実施例の平面図である。
【図３】図１のＹ３−Ｙ３視拡大図である。
【図４】図１のＹ４−Ｙ４視拡大図である。
【発明を実施するための形態】
【００１１】
以下に本発明の一実施例を図面に基づき説明する。
図１，２において、本発明のテンションリール外周巻きズレ修正装置は、水平回転軸線を持つ巻取りリール（テンションリール）１に巻き取られているストリップ（鋼板）Ａの、コイルAＣとストリップＡの境界付近において、外周の巻きズレを修正するものである。
リール１に近接した支柱２にスナバアーム３が揺動自在に設けられ、該アームにブラケット４を介してスナバロール５が回転自在に支持されている。（なお、支柱２はテンションリールの本体に取り付けることが好ましい場合がある。）
【００１２】
前記スナバアーム３の先端に第１取付板１１がスナバアームの長さ方向に対し、ほぼ直立状態で固定され、該第１取付板に対し、第２取付板１２がほぼ直角に延びた状態で固定され、該第２取付板の先端に第３取付板１３がヒンジ１４を介して揺動自在に取付けられる。前記第２取付板と第３取付板との間で上側には揺動シリンダー１５が接続される。
【００１３】
図３，４において、前記第３取付板１３の下面にはストリップの幅方向に往復作動するガイドシリンダー１６がストリップの一端面側および他端面側に取付けられる。前記ガイドシリンダーの先端に各々ガイドロール１７がガイドブラケット１７ａを介して取付けられている。ガイドロール１７でコイル側面を挟持してストリップの蛇行を修正する。
前記第３取付板１３の下面には、前記ガイドシリンダーよりもストリップ進行方向の下流側で、ストリップの上面に接触転動する位置決めロール１８が設けられる。
【００１４】
以上において作動状態を説明する。ストリップＡをリール１に巻き取っている状態において、スナバアーム３が下がってスナバロール５が巻き取り境界部の上面に接触して転動する。揺動シリンダー１５を作動して、ヒンジ１４を中心として第２取付板１２をストリップの上面側に下げると、位置決めロール１８がストリップの上面に接触して転動する。この状態を保持するように揺動シリンダー１５のストロークを保持しておく。
【００１５】
このとき、ガイドロール１７は回転軸線をストリップの展延する延長面に対しほぼ直角に保ち、ガイドロールの円周面の軸方向中央付近がストリップの端面に対向する。次にガイドシリンダー１６を作動させると、ガイドロールの円周面がコイル側面に接する。この状態を保持するように、ガイドシリンダー１６のストロークを保持しておく。
【００１６】
テンションリール１にストリップが巻き取られるべき適正範囲内になるように、ガイドロール１７とガイドシリンダー１６を調整しておく。そして、ストリップを巻き始めると、ストリップはガイドロール１７に案内されながら、リールに巻き取られる。巻取り量が増加するにつれて、コイルの直径が増加する。これに従い、スナバロール３と位置決めロール１８はストリップに接触して転動しながら、アーム作動源６と揺動シリンダー１５により斜め上方に上昇する。このようにして、ストリップの外周の巻きズレが修正できることとなった。ガイドロール幅に対しコイル巻取り厚さが相当薄い、ストリップの巻き始めの初期では本発明の装置を使用しない。
【００１７】
本発明の装置では、巻取り張力がなくなる場合でも、確実にテンションリールでの巻きズレを防止できる。テンションリールのスナバアームにガイドロールを設置した構造であるため、テンションリールが巻取り制御を行っている場合でも、確実にストリップの案内ができる。スナバアームを動かしてパスライン外（ストリップとコイルの上方を避けた位置）にガイドロール移動できるので、その場合は押し込み疵やボタ落ちの低減に有利である。ここで、押し込み疵とは、上方から落下した異物がストリップ上に巻き込まれ、板表面にできた疵である。ボタ落ちとは、板の上に油などが落下してそのまま巻き込んだ場合、板表面の状態が他の部分と変わってくる現象である。
【００１８】
本発明は前記した実施例や実施態様に限定されず、特許請求の範囲および範囲を逸脱せずに種々の変形を含む。
【産業上の利用可能性】
【００１９】
本発明は、テンションリールの外周巻きズレ修正装置に利用される。
【符号の説明】
【００２０】
Ａ  ストリップ
ＡＣ  コイル  
１  テンションリール
２  支柱
３  スナバアーム
４  ブラケット
５  スナバロール
６  アーム作動源
１１  第１取付板
１１ａ  リム
１２  第２取付板
１３  第３取付板
１４  ヒンジ
１５  揺動シリンダー
１６  ガイドシリンダー
１７  ガイドロール
１７ａ  ガイドブラケット
１８  位置決めロール
【図１】
2011161489.tif 000003
【図２】
2011161489.tif 000004
【図３】
2011161489.tif 000005
【図４】
2011161489.tif 000006